(57)【特許請求の範囲】
【請求項１】
一方の床躯体の目地部側に形成された目地プレート支持凹部と、この目地プレート支持凹部と対応する部位の他方の床躯体の目地部側に形成された反目地部側が傾斜面に形成された目地プレートスライド支持凹部と、前記目地プレート支持凹部に後端部が支持され、前記目地プレートスライド支持凹部に先端部がスライド移動可能に支持された目地プレートと、この目地プレートの後端部の両側部寄りの部位に後端部が開口するように形成された一対のコ字状の支持部と、この一対の支持部の両側壁に回動可能に枢支されたボルト挿入孔が形成された一対の支持部材と、前記目地プレート支持凹部の前記一対の支持部材のボルト挿入孔と対応する部位に固定された一対のナットと、この一対のナットと前記支持部材のボルト挿入孔を通過して螺合する一対のボルトとからなることを特徴とする床用目地装置。
【請求項２】
一方の床躯体の目地部側に形成された目地プレート支持凹部と、この目地プレート支持凹部と対応する部位の他方の床躯体の目地部側に形成された反目地部側が傾斜面に形成された目地プレートスライド支持凹部と、前記目地プレート支持凹部に後端部が支持され、前記目地プレートスライド支持凹部に先端部がスライド移動可能に支持された目地プレートと、この目地プレートの後端部の両側部寄りの部位に後端部が開口するように形成された一対のコ字状の支持部と、この一対の支持部の両側壁に回動可能に枢支されたボルト挿入孔が形成された一対の支持部材と、前記目地プレート支持凹部に固定された支持金具と、この支持金具の前記一対の支持部材のボルト挿入孔と対応する部位に固定された一対のナットと、この一対のナットと前記一対の支持部材のボルト挿入孔を通過して螺合する一対のボルトとからなることを特徴とする床用目地装置。
【請求項３】
支持部材のボルト挿入孔には、目地プレートを吊り上げるためにアイボルトを螺合させるためのねじ部が形成されていることを特徴とする請求項１、請求項２いずれかに記載の床用目地装置。
【発明の詳細な説明】
【技術分野】
【０００１】
本発明は目地部を介して設けられる、車両の走行が可能な左右の床躯体間の目地部を覆う床用目地装置に関する。
【背景技術】
【０００２】
従来のこの種の床用目地装置は、目地部を介して設けられた左右の床躯体の一方の目地部側床躯体に形成された目地プレート支持凹部と、この目地プレート支持凹部と対応する他方の目地部側床躯体に形成された反目地部側が傾斜面の目地プレートスライド支持凹部と、この目地プレートスライド支持凹部と前記目地プレート支持凹部とを覆うように取付けられた目地プレートと、前記目地プレート支持凹部に固定された上部が反目地部側方向に突出する、くさび状あるいは逆Ｌ字状の支持片と、前記目地プレートの後端部に形成された前記支持片が挿入される支持片挿入凹部とで構成されていた。
【０００３】
このため、地震等によって上下方向に大きく揺れ動くと、目地プレートの支持片挿入凹部より支持片が離れて、元の状態に戻らなくなってしまうという欠点があった。
また、目地プレートの設置の際に、支持片挿入凹部内に支持片を挿入させる作業が大変で、手数がかかるという欠点があった。
【特許文献１】特開２００１−３２９６２５
【発明の開示】
【発明が解決しようとする課題】
【０００４】
本発明は以上のような従来の欠点に鑑み、地震等で上下方向に大きく揺れ動いても、目地プレートが取付け部より外れるのを確実に防止することができるとともに、目地部が狭くなり目地プレートの先端部が上方へ回動するのをスムーズに行なうことができる床用目地装置を提供することを目的としている。
【０００５】
また、本発明は目地プレートの吊り上げ作業が容易にできるように、アイボルトを簡単に着脱可能に取付けることができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は一方の床躯体の目地部側に形成された目地プレート支持凹部と、この目地プレート支持凹部と対応する部位の他方の床躯体の目地部側に形成された反目地部側が傾斜面に形成された目地プレートスライド支持凹部と、前記目地プレート支持凹部に後端部が支持され、前記目地プレートスライド支持凹部に先端部がスライド移動可能に支持された目地プレートと、この目地プレートの後端部の両側部寄りの部位に後端部が開口するように形成された一対のコ字状の支持部と、この一対の支持部の両側壁に回動可能に枢支されたボルト挿入孔が形成された一対の支持部材と、前記目地プレート支持凹部の前記一対の支持部材のボルト挿入孔と対応する部位に固定された一対のナットと、この一対のナットと前記支持部材のボルト挿入孔を通過して螺合する一対のボルトとで床用目地装置を構成している。
【発明の効果】
【０００８】
以上の説明から明らかなように、本発明にあっては次に列挙する効果が得られる。
【０００９】
（１）一方の床躯体の目地部側に形成された目地プレート支持凹部と、この目地プレート支持凹部と対応する部位の他方の床躯体の目地部側に形成された反目地部側が傾斜面に形成された目地プレートスライド支持凹部と、前記目地プレート支持凹部に後端部が支持され、前記目地プレートスライド支持凹部に先端部がスライド移動可能に支持された目地プレートと、この目地プレートの後端部の両側部寄りの部位に後端部が開口するように形成された一対のコ字状の支持部と、この一対の支持部の両側壁に回動可能に枢支されたボルト挿入孔が形成された一対の支持部材と、前記目地プレート支持凹部の前記一対の支持部材のボルト挿入孔と対応する部位に固定された一対のナットと、この一対のナットと前記支持部材のボルト挿入孔を通過して螺合する一対のボルトとで構成されているので、地震によって大きく上下方向に揺れ動いても、目地プレートの後端部が目地プレート支持凹部に固定されたナットに、ボルトで取付けられているため、取付け部より外れたりするのを確実に防止することができる。
したがって、安全に使用することができる。
【００１０】
（２）前記（１）によって、目地プレートの後端部に回動可能な支持部材を介して、ボルトをナットに螺合させているので、目地プレートの先端部をスムーズに上方へ回動させることができる。
したがって、目地部が狭くなるような揺れ動き時に、目地プレートがスムーズに回動してその揺れ動きを損傷することなく吸収することができる。
【００１１】
（３）前記（１）によって、目地プレートに一対の支持部、この一対の支持部に回動可能に支持部材を取付けるとともに、目地プレート支持凹部にナットを固定し、該ナットに支持部材のボルト挿入孔を介してボルトを螺合させるだけでよいので、容易に設置することができる。
【００１２】
（４）請求項２も前記（１）〜（３）と同様な効果が得られる。
【００１３】
（５）請求項３も前記（１）〜（３）と同様な効果が得られるとともに、目地プレートの移同時には一対の支持部材のボルト挿入孔のねじ部にアイボルトを螺合させて、クレーン等で吊り上げることができる。
したがって、アイボルトの着脱作業は容易で、短時間にでき、移動作業をスムーズに行なうことができる。
【発明を実施するための最良の形態】
【００１４】
以下、図面に示す本発明を実施するための最良の形態により、本発明を詳細に説明する。
【００１５】
図１ないし図８に示す本発明を実施するための最良の第１の形態において、１は目地部２を介して設けられた、車両の走行が可能な床躯体３、３間を覆う本発明の床用目地装置で、この床用目地装置１は一方の床躯体３の目地部側に形成された目地プレート支持凹部４と、この目地プレート支持凹部４と対応する部位の他方の床躯体３の目地部側に形成された反目地部側が傾斜面５に形成された目地プレートスライド支持凹部６と、前記目地プレート支持凹部４に後端部が支持され、前記目地プレートスライド支持凹部６に先端部がスライド移動可能に支持された目地プレート７と、この目地プレート７の後端部の両側部寄りの部位に後端部が開口８、８するように形成された一対のコ字状の支持部９、９と、この一対の支持部９、９の両側壁９ａ、９ａに枢支ピン１０、１０で回動可能に枢支された、上部にアイボルトが螺合できるねじ部１１を有するボルト挿入孔１２が形成された一対の支持部材１３、１３と、前記目地プレート支持凹部４に複数本のビス１４等で固定されたクランク状の支持金具１５と、この支持金具１５の前記一対の支持部材１３、１３のボルト挿入孔１２、１２と対応する部位に固定された一対のナット１６、１６と、この一対のナット１６、１６と前記一対の支持部材１３、１３のボルト挿入孔１２、１２を通過して螺合する一対のボルト１７、１７とで構成されている。
【００１６】
前記目地プレート７は図３に示すように、長方形状の浅皿状で、後端部の両側部にコ字状の一対の支持部９、９が形成された金属材製の目地プレート本体１８と、この目地プレート本体１８内に充填されたコンクリートやモルタル１９と、このコンクリートやモルタル１９の上部に配置されたタイルやレンガ等の化粧床材２０と、前記目地プレート本体１８の先端部にヒンジ部材２１を介して取付けられたカバープレート２２とで構成されている。
【００１７】
前記一対の支持部材１３、１３は図４に示すように、上面が前記支持部９の内径寸法よりもわずかに小さい形状に形成され、先端部側の側面が傾斜面２３となる支持部材本体２４と、この支持部材本体２４の両側面より外方へ突出するように螺合固定されるボルト状の枢支ピン１０、１０と、前記支持部材本体２４のほぼ中央部に上下方向に形成されたボルト挿入孔１２と、このボルト挿入孔１２の上部に該ボルト挿入孔１２よりも大径の皿状の凹部２５形状に形成し、その内壁面にアイボルトが螺合されるように形成されたねじ部１１とで構成されている。
【００１８】
上記構成の床用目地装置１は、地震等によって目地部２が広くなるように揺れ動くと、図６に示すように目地プレート７の先端部が目地プレートスライド支持凹部６内をスライド移動して、その揺れ動きを吸収する。
目地部２が狭くなるように揺れ動くと、図７に示すように目地プレート７の先端部が目地プレートスライド支持凹部６の傾斜面５に沿って上方へ移動するが、目地プレート７の後端部は回動可能な一対の支持部材１３、１３を介して、ボルト１７、１７で目地プレート支持凹部４に固定されたナット１６、１６に螺合されているため、一対の支持部材１３、１３が回動して、目地プレート７の回動動作をスムーズにさせることができる。
【００１９】
また、目地プレート７が上下方向に大きく揺れ動いても、一対の支持部材１３、１３を介してボルト１７、１７で目地プレート支持凹部４に固定された支持金具１５に固定されたナット１６、１６に螺合されているため、目地プレート支持凹部４から目地プレート７の後端部が外れたりすることなく、安全に使用することができる。
目地プレート７を移動させる場合には、図８に示すように、一対の支持部材１３、１３のねじ部１１、１１にアイボルト２６、２６を螺合し、該アイボルト２６、２６に吊り上げワイヤー２７を取付けてクレーン２８等で吊り上げ、トラックや使用場所へ移動させることができる。
[発明を実施するための異なる形態]
【００２０】
次に、図９ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図９ないし図１２に示す本発明を実施するための第２の形態において、前記本発明を実施するための最良の第１の形態と主に異なる点は、目地プレートスライド支持凹部６を覆い、目地プレート７がスムーズにスライド移動できるように固定された金属材製の目地プレートスライド支持凹部カバー２９と、目地プレート本体１８に形成した一対の支持部９、９の両側壁９ａ、９ａ、９ａ、９ａに一対の支持部材１３、１３の両側壁１３ａ、１３ａ、１３ａ、１３ａに固定された枢支ピン１０Ａ、１０Ａ、１０Ａ、１０Ａを挿入することができるＬ字状で、下部端部が大径のガイド溝３０、３０、３０、３０を形成した点で、このように構成した床用目地装置１Ａにしても、前記本発明を実施するための最良の第１の形態と同様な作用効果が得られるとともに、支持部材１３、１３の支持部９、９への取付けが容易で、目地部２が非常に狭くなった場合に、図１２に示すように目地プレート７の後端部の支持部材１３、１３の枢支ピン１０Ａ、１０Ａ、１０Ａ、１０Ａをガイド溝３０、３０、３０、３０に沿って下方へ移動して、目地プレート７の後端部を上方へ移動させ、目地プレート７の先端部が上方へ大きく突出するのを防止することができる。
【００２２】
図１３ないし図１５に示す本発明を実施するための第３の形態において、前記本発明を実施するための最良の第１の形態と主に異なる点は、一対の支持部９、９を両端部を除く、両端部寄りの部位に形成した目地プレート本体１８Ａで形成した目地プレート７Ａと、一対の支持部材１３、１３のボルト挿入孔１２、１２と対応する目地プレート支持凹部４に下端部にフランジ３１が形成されたナット１６Ａ、１６Ａを複数本のビス３２等によって固定した点で、このように構成した床用目地装置１Ｂにしても、前記本発明を実施するための最良の第１の形態と同様な作用効果が得られるとともに、一対の支持部材１３、１３の枢支ピン１０、１０、１０、１０が目地プレート本体１８Ａの両側面より外方へ突出することなく、目地プレート７Ａを複数個並列する床用目地装置では、目地プレート間に隙間なく並列させることができる。
なお、前記本発明を実施する形態では長方形状の目地プレート本体を用いたものについて説明したが、本発明はこれに限らず、先端部が傾斜面に形成された目地プレート本体を用いてもよい。
【産業上の利用可能性】
【００２３】
本発明は床用目地装置を製造する産業で利用される。
【図面の簡単な説明】
【００２４】
【図１】本発明を実施するための最良の第１の形態の平面図。
【図２】図１の２−２線に沿う拡大断面図。
【図３】本発明を実施するための最良の第１の形態の目地プレートの説明図。
【図４】本発明を実施するための最良の第１の形態の支持部材の説明図。
【図５】本発明を実施するための最良の第１の形態の要部拡大断面図。
【図６】本発明を実施するための最良の第１の形態の目地部が広くなった動作説明図。
【図７】本発明を実施するための最良の第１の形態の目地部が狭くなった動作説明図。
【図８】本発明を実施するための最良の第１の形態の吊り上げる状態の説明図。
【図９】本発明を実施するための第２の形態の平面図。
【図１０】図９の１０−１０線に沿う拡大断面図。
【図１１】本発明を実施するための第２の形態の目地プレートの説明図。
【図１２】本発明を実施するための第２の形態の目地部が狭くなった動作説明図。
【図１３】本発明を実施するための第３の形態の平面図。
【図１４】図１３の１４−１４線に沿う拡大断面図。
【図１５】本発明を実施するための第３の形態のナットの取付け状態の説明図。
【符号の説明】
【００２５】
１、１Ａ、１Ｂ：床用目地装置、２：目地部、
３：床躯体、                  ４：目地プレート支持凹部、
５：傾斜面、                  ６：目地プレートスライド支持凹部、
７、７Ａ：目地プレート、      ８：開口部、
９：支持部、                  １０、１０Ａ：枢支ピン、
１１：ねじ部、                １２：ボルト挿入孔、
１３：支持部材、              １４：ビス、
１５：支持金具、              １６、１６Ａ：ナット、
１７：ボルト、                １８、１８Ａ：目地プレート本体、
１９：コンクリートやモルタル、２０：化粧床材、
２１：ヒンジ部材、            ２２：カバープレート、
２３：傾斜面、                ２４：支持部材本体、
２５：凹部、                  ２６：アイボルト、
２７：吊り上げワイヤー、      ２８：クレーン、
２９：目地プレートスライド支持凹部カバー、
３０：ガイド溝、              ３１：フランジ、
３２：ビス。
【図１】
0004475591.tif 000002
【図２】
0004475591.tif 000003
【図３】
0004475591.tif 000004
【図４】
0004475591.tif 000005
【図５】
0004475591.tif 000006
【図６】
0004475591.tif 000007
【図７】
0004475591.tif 000008
【図８】
0004475591.tif 000009
【図９】
0004475591.tif 000010
【図１０】
0004475591.tif 000011
【図１１】
0004475591.tif 000012
【図１２】
0004475591.tif 000013
【図１３】
0004475591.tif 000014
【図１４】
0004475591.tif 000015
【図１５】
0004475591.tif 000016